(57)【要約】【課題】サーモスイッチに無理な応力を与えることなく発熱体を水道管に作業性良く巻き付けることができる水道凍結防止体を提案すること。【解決手段】水道凍結防止体１では、発熱体２とサーモスイッチ８が分離され、サーモスイッチ８が発熱体２に給電を行うための電源線３に介挿されている。発熱体２の途中位置にサーモスイッチ９が取り付けられている従来の水道凍結防止体とは異なり、発熱体２を水道管の設置する作業の際にサーモスイッチ８に無理な応力が作用してしまうことがないので、サーモスイッチ８の設定温度の狂いや断線が発生する惧れがなく、発熱体２の設置作業が容易になる。サーモスイッチ８と発熱体２の間を繋ぐ電源線３は防水性のコネクタ７により切り離し可能な状態で結合されているので、サーモスイッチ８あるいは発熱体２に不具合が発生したときには、コネクタ７を切り離すことにより一方の側のみを交換できる。【選択図】      図１
2004150232.tif 000002
【特許請求の範囲】
【請求項１】
発熱体と、この発熱体に電力を供給するための電源線と、この電源線の一端に接続されている電源プラグと、外気温度に応じて前記発熱体に対する通電をオンオフするためのサーモスイッチとを有する水道凍結防止体において、
前記電源線に前記サーモスイッチが介挿され、
当該電源線の他端が前記発熱体に接続されていることを特徴とする水道凍結防止体。
【請求項２】
請求項１において、
前記電源線は、前記サーモスイッチが介挿されている電源側電源線と、前記発熱体に接続されている発熱体側電源線から構成されており、
これら電源側電源線と発熱体側電源線が防水性のコネクタによって切り離し可能な状態で接続されていることを特徴とする水道凍結防止体。
【請求項３】
請求項２において、
前記防水性のコネクタは着脱可能な第１のコネクタおよび第２のコネクタを備えており、
第１のコネクタは、樹脂製の第１のコネクタ本体と、一対の円筒状の端子金具とを備え、
前記第１のコネクタ本体は、コネクタ軸線方向に突出している円柱状突部と、円柱状突部の根元部分から半径方向の外側に広がっている円環状段面と、この円柱状突部の先端面からコネクタ軸線方向に沿って形成された所定の深さの一対のピン穴とを備え、各ピン穴には前記円筒状の端子金具が同軸状態で装着されており、
前記第２のコネクタは、樹脂製の第２のコネクタ本体と、前記円柱状の端子金具に差し込み可能な一対の端子ピンとを備え、
当該第２のコネクタのコネクタ本体は、前記円柱状突部を差し込み可能な円形差し込み穴と、この円形差し込み穴の開口縁外周部分に形成され、前記円環状段面に密接可能な円環状端面とを備えており、
前記円形差し込み穴の底面からコネクタ軸線方向に沿って、前記一対の端子ピンが突出していることを特徴とする水道凍結防止体。
【請求項４】
請求項２または３において、
前記電源側電源線には前記サーモスイッチが搭載されたサーモコントローラが介挿されており、
このサーモコントローラは、防水性の樹脂ケースと、この内部に配置された前記サーモスイッチおよび当該サーモスイッチの動作状態を表す表示器とを備えており、前記樹脂ケースには前記表示器を外側から目視可能な透光性の表示窓が形成されていることを特徴とする水道凍結防止体。
【請求項５】
請求項４において、
前記サーモコントローラは、
第１および第２の給電ラインと、
前記第１の給電ラインに介挿された前記サーモスイッチと、
前記第１の給電ラインにおける前記サーモスイッチとこれよりも前記発熱体の側の位置との間に一端側が接続されている前記表示器として用いる発光ダイオードと、
前記発光ダイオードの他端側を、前記第２の給電ラインおよび、前記第１の給電ラインにおける前記サーモスイッチよりも電源側の位置のいずれかに選択的に接続する切換スイッチとを備えており、
前記切換スイッチは、常時は、前記発光ダイオードの他端側を前記第２の給電ラインに接続しており、外部操作時にのみ前記第１の給電ラインの側に接続を切り換えるようになっており、
前記樹脂ケースは、前記切換スイッチの操作部に対峙した部分に、面外方向に撓み性のあるスイッチ操作面が形成されていることを特徴とする水道凍結防止体。
【請求項６】
請求項５において、
前記樹脂ケースは、前記表示器を目視するための開口部と、前記切換スイッチを操作するための開口部とが形成された表面部分を備え、
この表面部分には透光性の樹脂シートが溶着されており、
これら開口部および樹脂シートによって、防水性の前記表示窓および前記スイッチ操作面が構成されていることを特徴とする水道凍結防止体。
【発明の詳細な説明】
【０００１】
【発明の属する技術分野】
本発明は、水道管への設置作業や故障部品の交換作業などを効率良く行うことのできる水道凍結防止体に関するものである。
【０００２】
【従来の技術】
従来の水道凍結防止装体は、図５に示すように、水道管を加熱するための発熱体１０１と、この発熱体１０１に給電するための電源線１０２と、この電源線１０２の先端に取り付けられている電源プラグ１０３と、発熱体１０１の途中位置に介挿されたサーモスイッチ１０４とを備えた構成とされている。この構成の水道凍結防止体１００は防水性が要求されるので、電源プラグ１０３以下の部分は所定の浸水試験に合格する必要がある。このため、電源線１０２と発熱体１０１の接続部位は、超音波溶着などによって樹脂により封止された電源溶着部１０５とされており、サーモスイッチ１０４も全体として樹脂で封止されており、さらに、発熱体１０１の末端部分も樹脂により封止された端末溶着部１０６とされている。
【０００３】
【発明が解決しようとする課題】
しかしながら、このように構成されている従来の水道凍結防止体は、次のような不具合がある。
【０００４】
まず、発熱体１０１の途中にサーモスイッチ１０４があるので、発熱体１０１を水道管に巻き付ける作業の際に、無理な力が発熱体１０１あるいはサーモスイッチ１０４に加わり、サーモスイッチ１０４の設定温度に狂いが生じる危険性がある。また、場合によっては、サーモスイッチ１０４の断線を誘発する惧れもある。従って、水道管への設置作業は慎重に行う必要があり、作業性が悪い。
【０００５】
また、水道管への設置工事では水道管に巻き付けた発熱体１０１を保温テープで包む必要があるが、この際に、サーモスイッチ１０４の部分も発熱体１０４と一緒に保温テープで包み込んでしまうことが多い。サーモスイッチ１０４が保温テープに包み込まれてしまうと、サーモスイッチ１０４が正常に機能しないので、凍結防止機能が発揮されず、水道管が凍結する危険性がある。
【０００６】
さらに、サーモスイッチ１０４および発熱体１０１のいずれか一方にのみ故障や不具合が発生した場合、両者が一体構成であるので、一方のみを交換することができない。このため、水道凍結防止体を一式交換する必要があり、コスト高に繋がっている。
【０００７】
本発明の課題は、このような点に鑑みて、作業性良く発熱体を水道管に巻き付けることのできる水道凍結防止体を提案することにある。
【０００８】
また、本発明の課題は、サーモスイッチが発熱体と共に保温テープで包み込まれてしまうことのない水道凍結防止体を提案することにある。
【０００９】
さらに、本発明の課題は、サーモスイッチおよび発熱体のいずれかに不具合が生じた場合に一方のみを交換可能な水道凍結防止体を提案することにある。
【００１０】
【課題を解決するための手段】
上記の課題を解決するために、本発明は、
発熱体と、この発熱体に電力を供給するための電源線と、この電源線の一端に接続されている電源プラグと、外気温度に応じて前記発熱体に対する通電をオンオフするためのサーモスイッチとを有する水道凍結防止体において、
前記電源線に前記サーモスイッチが介挿され、
当該電源線の他端が前記発熱体に接続されていることを特徴としている。
【００１１】
本発明の水道凍結防止体においては、サーモスイッチを発熱体ではなく電源線に介挿した構成となっている。従って、発熱体を水道管に巻き付ける作業の際にサーモスイッチに無理な力が作用してその設定温度の狂いや断線が発生する惧れがない。よって、設置作業の作業性が改善される。また、サーモスイッチが発熱体と共に保温テープによって包み込まれてしまう惧れもないので、サーモスイッチがオフのままとなり、凍結防止機能が作動しないという不具合も回避できる。
【００１２】
ここで、前記電源線を、前記サーモスイッチが介挿されている電源側電源線と、前記発熱体に接続されている発熱体側電源線から構成し、これら電源側電源線と発熱体側電源線を防水性のコネクタによって切り離し可能な状態で接続した構成を採用することが望ましい。この構成によれば、サーモスイッチあるいは発熱体に不具合が発生した場合に、不具合が発生した側のみを交換して対処できる。
【００１３】
また、前記防水性のコネクタとしては次の構成のものを採用することができる。
【００１４】
すなわち、着脱可能な第１のコネクタおよび第２のコネクタを備え、
第１のコネクタは、樹脂製の第１のコネクタ本体と、一対の円筒状の端子金具とを備え、
前記第１のコネクタ本体は、コネクタ軸線方向に突出している円柱状突部と、円柱状突部の根元部分から半径方向の外側に広がっている円環状段面と、この円柱状突部の先端面からコネクタ軸線方向に沿って形成された所定の深さの一対のピン穴とを備え、各ピン穴には前記円筒状の端子金具が同軸状態で装着されており、
前記第２のコネクタは、樹脂製の第２のコネクタ本体と、前記円柱状の端子金具に差し込み可能な一対の端子ピンとを備え、
当該第２のコネクタのコネクタ本体は、前記円柱状突部を差し込み可能な円形差し込み穴と、この円形差し込み穴の開口縁外周部分に形成され、前記円環状段面に密接可能な円環状端面とを備えており、
前記円形差し込み穴の底面からコネクタ軸線方向に沿って、前記一対の端子ピンが突出している構成のものとすることができる。
【００１５】
次に、本発明の水道凍結防止体は、前記電源側電源線に、前記サーモスイッチが搭載されたサーモコントローラが介挿された構成のものとすることができる。この場合、このサーモコントローラは、防水性の樹脂ケースと、この内部に配置された前記サーモスイッチおよび当該サーモスイッチの動作状態を表す表示器とを備え、前記樹脂ケースには前記表示器を外側から目視可能な透光性の表示窓が形成された構成のものとすることができる。
【００１６】
また、前記サーモコントローラは、
第１および第２の給電ラインと、
前記第１の給電ラインに介挿された前記サーモスイッチと、
前記第１の給電ラインにおける前記サーモスイッチとこれよりも前記発熱体の側の位置との間に一端側が接続されている前記表示器として用いる発光ダイオードと、
前記発光ダイオードの他端側を、前記第２の給電ラインおよび、前記第１の給電ラインにおける前記サーモスイッチよりも電源側の位置のいずれかに選択的に接続する切換スイッチとを備え、
前記切換スイッチは、常時は、前記発光ダイオードの他端側を前記第２の給電ラインに接続しており、外部操作時にのみ前記第１の給電ラインの側に接続を切り換えるようになっており、
前記樹脂ケースは、前記切換スイッチの操作部に対峙した部分に、面外方向に撓み性のあるスイッチ操作面が形成されたものとすることができる。
【００１７】
本発明の水道凍結防止体では、切換スイッチにより発光ダイオードの他端を第２の給電ラインに接続すると、発光ダイオードは、サーモスイッチよりも発熱体の側において、給電ライン間に接続され、発熱体と並列接続状態になる。この状態では、サーモスイッチのオンオフに連動して発光ダイオードは点滅するので、当該発光ダイオードを目視することにより、水道凍結防止体が作動中であるのか停止中であるのかを確認できる。
【００１８】
また、切換スイッチにより発光ダイオードの他端を第１の給電ラインにおけるサーモスイッチよりも電源側の位置に接続すると、発光ダイオードおよび発熱体が直列接続された状態のサーモスイッチバイパス回路が形成される。この状態では、発熱体が断線していると発光ダイオードは点灯しない。よって、発光ダイオードの点灯の有無から、発熱体の断線の有無を確認できる。また、発熱体の断線確認が必要なときにのみ切換スイッチを操作すればよい。
【００１９】
ここで、前記表示窓および前記スイッチ操作面の防水性を確保するためには、前記樹脂ケースに、前記表示器を目視するための開口部と、前記切換スイッチを操作するための開口部とが形成された表面部分を形成し、この表面部分に透光性の樹脂シートを溶着し、これら開口部および樹脂シートによって、防水性の前記表示窓および前記スイッチ操作面を構成することが望ましい。
【００２０】
【発明の実施の形態】
以下に、図面を参照して、本発明を適用した水道凍結防止体の実施の形態を説明する。
【００２１】
（全体構成）
図１は、本実施の形態に係る水道凍結防止体を示す全体構成図である。水道凍結防止体１は、発熱体２と、この発熱体２に電力を供給するための電源線３と、この電源線３の一端に取り付けられている電源プラグ４を備えている。電源線３は、電源プラグ４が取り付けられている電源側電源線５と、発熱体２が接続されている発熱体側電源線６から構成されている。これらの電源側電源線５と発熱体側電源線６は、防水性のコネクタ７によって切り離し可能な状態で結合されている。電源側電源線５には、その途中位置にサーモスイッチ８が内蔵されたサーモコントローラ９が介挿されている。
【００２２】
なお、他方の発熱体側電源線６と発熱体２との間の接続部分は、樹脂によって溶着封止された防水性の電源溶着部１０とされている。同様に、発熱体２の末端部分の接続部分も、樹脂によって溶着封止された防水性の端末溶着部１１とされている。
【００２３】
図２は水道凍結防止体１の回路図である。この図に示すように、水道凍結防止体１の発熱体２に対しては、電源プラグ４から電源線３を構成している一対の給電ライン３１、３２を介して給電が行われる。発熱体２の一端２ａに接続されている一方の給電ライン３１にはサーモスイッチ８が介挿されている。また、この給電ライン３１におけるサーモスイッチ８と発熱体２の間の位置には、発光ダイオード１２のカソード側の端子１２ａが接続されている。発光ダイオード１２のアノード側の端子１２ｂは順方向に直列接続されているダイオード１３を介して切換スイッチ（断線検知用スイッチ）１４に接続されている。
【００２４】
切換スイッチ１４の切換端子１４ａは常時、抵抗１５に接続されている接点１５ａに接続されており、この抵抗１５の他端１５ｂは給電ライン３２に接続されている。切換スイッチ１４の操作部（図３の押し下げロッド１４１）を押すと、切換端子１４ａは抵抗１６に接続されている他方の接点１６ａの側に切り換わる。この抵抗１６の他端１６ｂは、給電ライン３１におけるサーモスイッチ８よりも電源側の位置に接続されている。切換スイッチ１４の押下を解除すると、切換端子１４ａは再び接点１５ａの側に戻るようになっている。
【００２５】
サーモスイッチ８は、温度が低温、例えば、３℃以下になるとオフ状態からオン状態に切り換わり、温度が高温、例えば、１０℃以上になるとオフ状態に切り換わるように動作設定されている。
【００２６】
この構成の水道凍結防止体１において、切換スイッチ１４の切換端子１４ａは接点１５ａに接続されている。この状態で、外気温が下がってサーモスイッチ８がオンすると、給電ライン３１、サーモスイッチ８、発熱体２および給電ライン３２を経由する発熱体給電回路が形成され、発熱体２が給電されて発熱して水道管（図示せず）を加熱して、その凍結を防止する。
【００２７】
この状態では、給電ライン３２、抵抗１５、切換スイッチ１４、ダイオード１３、発光ダイオード１２および給電ライン３１を経由する発光ダイオード給電回路も形成され、発光ダイオード１２は発熱体２に対して並列に給電ライン３１、３２間に接続される。従って、発光ダイオード１２が点灯状態になるので、これにより、水道凍結防止体１が作動状態であることを確認できる。
【００２８】
次に、切換スイッチ１４を操作すると、切換スイッチ１４が抵抗１６の側に切り換わる。この結果、給電ライン３１、抵抗１６、切換スイッチ１４、ダイオード１３、発光ダイオード１２、発熱体２および給電ライン３２を経由する給電回路が形成される。すなわち、発光ダイオード１２と発熱体２が、サーモスイッチ８をバイパスした直列接続状態になる。この状態において、発熱体２が断線しておらず正常な場合には当該発熱体２および発光ダイオード１２に給電され、発熱体２が発熱すると共に発光ダイオード１２が点灯する。しかるに、発熱体２が断線しており発熱しない場合には発光ダイオード１２にも給電されないので、発光ダイオード１２は点灯しない。従って、切換スイッチ１４を押した状態での発光ダイオード１２の点灯の有無を目視することにより、発熱体２が正常であるか断線しているのかを確認できる。
【００２９】
（サーモコントローラ）
図３（ａ）、（ｂ）、（ｃ）はサーモコントローラ９の機械的構成を示す平面構成図、断面構成図および平面図であり、これらの図を参照して説明すると、サーモコントローラ９は、細長い直方体形状をしており、樹脂製の上部ケース９１および下部ケース９２を超音波溶着などの方法によって内部が防水状態となるようにシールされた構成となっている。これらのケース９１、９２の内部には長方形の配線基板９３が装着され、この配線基板９３の表面には、上述したサーモスイッチ８、発光ダイオード１２、ダイオード１３、抵抗１５、１６および切換スイッチ１４が実装されており、配線基板９３の裏面にはこれらの各素子を図２に示すように結線するための配線がプリントされている。
【００３０】
ここで、上部ケース９１の上面９１ａは平坦面とされており、ここには、発光ダイオード１２を外側から目視するための開口部９４と、切換スイッチ１４の操作部である押し下げロッド１４１を操作するための開口部９５と、サーモスイッチ９に対峙している開口部９６が形成されている。これらの開口部９４、９５、９６は、上面９１ａに熱溶着などによって貼り付けた長方形の透光性の樹脂シール９７によってシールされている。これによって、発光ダイオード１２の点滅状態を確認するための防水性の表示窓９４Ａ、押し下げロッド１４１を外側から押し下げ可能な防水性のスイッチ操作面９５Ａ、および防水性の開口窓９６Ａが形成されている。
【００３１】
（防水性のコネクタ）
次に、図４を参照して電源側電源線５と発熱体側電源線６を切り離し可能な状態で結合している防水性のコネクタ７を説明する。コネクタ７は、電源側電源線５に取り付けられている第１のコネクタ５０と、発熱体側電源線６に取り付けられている第２のコネクタ６０から構成されており、これらは着脱可能な状態で結合されている。
【００３２】
第１のコネクタ５０は、円形断面をした樹脂製の第１のコネクタ本体５１と、一対の円筒状の端子金具５２、５３とを備えている。端子金具５２、５３はそれぞれ、第１のコネクタ本体５１の内部で電源線５の給電ライン３１、３２（図２参照）に接続されている。
【００３３】
第１のコネクタ本体５１は、コネクタ軸線５１ａの方向に沿って突出している円柱状突部５４と、この円柱状突部５４の根元部分から半径方向の外側に広がっている円環状段面５５と、この円柱状突部５４の先端面５６からコネクタ軸線５１ａの方向に沿って形成された所定の深さの一対のピン穴５７、５８とを備えている。各ピン穴５７、５８には円筒状の端子金具５２、５３が同軸状態で装着されている。
【００３４】
一方、第２のコネクタ６０は、円形断面の樹脂製の第２のコネクタ本体６１と、円柱状の端子金具５２、５３に差し込み可能な一対の端子ピン６２、６３とを備えている。端子ピン６２、６３はそれぞれ、第２のコネクタ本体６１の内部で電源線６の給電ライン３１、３２に接続されている。
【００３５】
第２のコネクタ６０のコネクタ本体６１は、他方のコネクタ５０の円柱状突部５４を差し込み可能な円形差し込み穴６４と、この円形差し込み穴６４の開口縁外周部分に形成され、他方のコネクタ５０の円環状段面５５に密接可能な円環状端面６５とを備えている。円形差し込み穴６４の底面からは、コネクタ軸線６１ａの方向に沿って、一対の端子ピン６２、６３が突出している。
【００３６】
なお、第１のコネクタ本体５１の円柱状突起５４の外周面の一部には位置合わせ用の平坦面５９が形成されており、他方の第２のコネクタ本体６１の円形差し込み穴６４の内周面にも当該平坦面５９に対応する位置合わせ用の平坦面６９が形成されている。これらの平坦面５９、６９を合わせた状態で、第１のコネクタ５０の円柱状突部５４を第２のコネクタ６０の円形差し込み穴６４に差し込むことができる。
【００３７】
第１のコネクタ５０の円柱状突部５４を他方の第２のコネクタ６０の円形差し込み穴６４に差し込むと、そこに形成されている一対のピン穴５７、５８に、円形差し込み穴６４の底面から突出している一対の端子ピン６２、６３が差し込まれる。この結果、端子金具５２、５３に端子ピン６２、６３が差し込まれて、これらの間が電気的に接続された状態になる。この状態では、これらの接続部分が、樹脂製の円形突部５４によって覆われ、さらに、この円形突部５４の外周は、円形差し込み穴６４が形成されている第２のコネクタ本体６１の外周壁部分によって覆われる。また、円形突部５４の外周面と円形差し込み穴６４の内周面の間は密着状態になる。
【００３８】
この構成のコネクタ７を用いることにより、電源側電源線５と発熱体側電源線６の間を防水性に優れた状態で結合できる。また、発熱体２あるいはサーモコントローラ９に不具合が発生した場合には、当該コネクタ７を切り離すことにより、不具合が発生した側の部品のみを交換すればよい。よって、水道凍結防止体一式を交換しなければならない従来の構成に比べて、コストを削減できる。さらに、コネクタ７は円形断面であるので、一般的に使用されている電源プラグ４と同様な形状のコネクタに比べて、建物の壁面等に埋め込む作業が簡単になるなどの利点もある。
【００３９】
【発明の効果】
以上説明したように、本発明の水道凍結防止体は、発熱体とサーモスイッチを分離し、サーモスイッチを発熱体に給電を行うための電源線に介挿した構成を採用している。従って、発熱体の途中位置にサーモスイッチが取り付けられている従来の水道凍結防止体とは異なり、発熱体を水道管の設置する作業の際にサーモスイッチに無理な応力が作用してしまうことがない。よって、サーモスイッチの設定温度の狂いや断線が発生する惧れがないので、発熱体の設置作業が容易になるという効果が得られる。また、サーモスイッチを発熱体と共に、保温テープで包み込んでしまうことが無くなるので、サーモスイッチが機能せずに水道管が凍結してしまうといった弊害も発生しなくなるという効果が得られる。
【００４０】
さらに、本発明では、電源線を電源プラグが取り付けられている電源側電源線と発熱体が取り付けられている発熱体側電源線とに分割し、これらを防水性のコネクタによって切り離し可能に結合した構成を採用している。この構成によれば、サーモコントローラあるいは発熱体に不具合が発生した場合には、一方の側のみを取り外して交換すればよい。よって、従来のような一体型のように水道凍結防止体の全体を交換する場合に比べて、作業が簡単になるとともに、修理のためのコストも低減できる。
【００４１】
さらに、本発明における防止性のコネクタは防水性に優れており、また、サーモスイッチが内蔵されているサーモコントローラも防水性の優れた構成としてある。従って、水道凍結防止体に要求される防水性能を充分に満足可能な水道凍結防止体を実現できる。
【００４２】
さらには、本発明の水道凍結防止体のサーモコントローラにはサーモスイッチの動作状態（発熱体の動作状態）が分かる表示窓を設けてあるので、これを目視することによって、動作状態を簡単に知ることができ、便利である。
【図面の簡単な説明】
【図１】本発明を適用した水道凍結防止体を示す全体構成図である。
【図２】図１の水道凍結防止体の回路図である。
【図３】図１の水道凍結防止体のサーモコントローラを示す平面構成図、断面構成図、および平面図である。
【図４】図１の水道凍結防止体の防水性コネクタを示す図であり、（ａ）はそれを切り離した状態の分解斜視図であり、（ｂ）はその側面図であり、（ｃ）はその平面図であり、（ｄ）は結合状態を一部断面で示す平面図である。
【図５】従来の水道凍結防止体を示す全体構成図である。
【符号の説明】
１    水道凍結防止体
２    発熱体
３    電源線
４    電源プラグ
５    電源側電源線
６    発熱体側電源線
７    防止性のコネクタ
５０  第１のコネクタ
５１  第１のコネクタ本体
５２、５３  端子金具
５４  円柱状突部
５５  円環状段面
５６、５７  ピン穴
６０  第２のコネクタ
６１  第２のコネクタ本体
６２、６３  端子ピン
６４  円形差し込み穴
６５  円環状端面
８    サーモスイッチ
９    サーモコントローラ
９１  上面
９４、９５、９６  開口部
９４Ａ  表示窓
９５Ａ  スイッチ操作面
１０  電源溶着部
１１  端末溶着部
１２  発光ダイオード
１４  切換スイッチ
１４１  押し下げロッド
３１、３２  電源線の給電ライン
【図１】
2004150232.tif 000003
【図２】
2004150232.tif 000004
【図３】
2004150232.tif 000005
【図４】
2004150232.tif 000006
【図５】
2004150232.tif 000007